(57)【要約】【課題】介在物なくカメラ本体のフロントパネルにレンズユニットが直接固定されることでレンズユニットの位置精度を高める。【解決手段】カメラ１１において、レンズユニット１５の撮影レンズ２５が露呈する開口部２３の縁を切り出してカメラ背面側へ折り曲げることで形成された爪１８をフロントパネル１３に備え、このフロントパネル１３の背面に面した挿入口を持ち、爪１８に合致する形状をもつ挿入孔１９をレンズユニット１５に備え、この挿入孔１９に爪１８を挿入することでカメラ１１を組立てる。また、爪１８による開口部２３の縁の折り曲げ部は化粧板１２で覆い隠す。【選択図】図１
2007256515.tif 000002
【特許請求の範囲】
【請求項１】
撮影レンズが組み込まれたレンズユニットと、前記撮影レンズを露呈させる開口が形成された金属薄板製の外装カバーとを備えるカメラにおいて、
前記開口の縁から背面側に突出するように前記外装カバーに一体に折り曲げて形成された舌片状の複数の突起と、
前記レンズユニットに形成されており、前面側から前記突起が各々挿入される複数の挿入孔と、
前記外装カバーの前面側から固定され、前記開口の縁及び前記複数の突起の折り曲げ部を覆う化粧板とを備えることを特徴とするカメラ。
【請求項２】
前記挿入孔の内壁に、前記突起の挿入方向に伸び、挿入される突起をその厚みの方向で挟圧する複数本のリブを形成したことを特徴とする請求項１記載のカメラ。
【請求項３】
撮影レンズが組み込まれたレンズユニットと、前記撮影レンズを露呈させる開口が形成された金属薄板製の外装カバーとを備えるカメラにおいて、
前記開口の縁に沿い、背面側に突出するように前記外装カバーに固着された複数の位置決めピンと、
前記レンズユニットに形成されており、前面側から前記位置決めピンが各々挿入される複数の挿入孔と、
前記外装カバーの前面側から固定され、前記開口の縁及び前記位置決めピンの固定痕を覆う化粧板とを備えることを特徴とするカメラ。
【発明の詳細な説明】
【技術分野】
【０００１】
本発明は、レンズユニットの位置決め精度を向上した構造を備えるカメラに関する。
【背景技術】
【０００２】
カメラ本体に対してレンズユニットの位置決めは高い精度が要求される。従来のカメラについて、図１１に簡略化した分解図を示して説明する。カメラ１は、前面側の外装カバーである金属薄板製のフロントパネル３と撮影レンズやレンズ鏡筒が組み込まれたレンズユニット５と電気部品等を搭載した基板６と背面側の外装カバーであるリアパネル７から構成されている。フロントパネル３とレンズユニット５の間に金属フレーム４等の数点の部品を介して組立てられ、金属フレーム４に設けられた位置決めピン８をレンズユニット５の前面に設けられた挿入孔９に挿入することでレンズユニット５の位置を金属フレーム４に固定して、レンズユニット６の背面側から基板６とリアパネル７で挟み込んで組立てていた。しかし、この方式では各部品の位置のずれが累積することにより、フロントパネル３に対するレンズユニット５の位置決め精度に悪影響を与える場合があった。
【０００３】
カメラの組立工程における部品の位置精度の改善の例としては以下のようなものがある。特許文献１では、配線基板にＣＣＤを実装するとともに、該ＣＣＤに対しその主体を包容する吸熱ケースを配置し、さらに前記吸熱ケースと外装パネルを熱伝導可能となるように一体化することで組立工程を簡素化し、さらにレンズ焦点に対するＣＣＤの位置精度を高めている。
【特許文献１】特開２００３−３４８３９４号公報
【発明の開示】
【発明が解決しようとする課題】
【０００４】
カメラの組立工程において、フロントパネルに対するレンズユニットの位置決めの精度が悪い場合に、レンズユニット位置の再調整等が必要となり組立コストが高くなっていた。
【０００５】
本発明は、金属フレーム等を不要とし、介在物なくカメラ本体のフロントパネルにレンズユニットが直接固定されることで位置精度を高めることを目的とする。
【課題を解決するための手段】
【０００６】
撮影レンズが組み込まれたレンズユニットと、撮影レンズを露呈させる開口が形成された金属薄板製の外装カバーとを備えるカメラにおいて、開口の縁から背面側に突出するように外装カバーに一体に折り曲げて形成された舌片状の複数の突起と、レンズユニットに形成されており、前面側から突起が各々挿入される複数の挿入孔と、外装カバーの前面側から固定され、開口の縁及び複数の突起の折り曲げ部を覆う化粧板とを備える。
【０００７】
上記挿入孔の内壁に、前記突起の挿入方向に伸び、挿入される突起をその厚みの方向で挟圧する複数本のリブを形成する。
【０００８】
撮影レンズが組み込まれたレンズユニットと、撮影レンズを露呈させる開口が形成された金属薄板製の外装カバーとを備えるカメラにおいて、開口の縁に沿い、背面側に突出するように外装カバーに固着された複数の位置決めピンと、レンズユニットに形成されており、前面側から位置決めピンが各々挿入される複数の挿入孔と、外装カバーの前面側から固定され、開口の縁及び位置決めピンの固定痕を覆う化粧板とを備える。
【発明の効果】
【０００９】
フロントパネルに対してレンズユニットの位置を直接位置決めすることで、組立工程におけるレンズユニットの位置精度が向上する。また、これにより組立てコストが削減される。さらに、美的欠陥を伴う部分を覆う化粧板を外装カバーの前面に備えることでカメラの美観を維持することができる。
【００１０】
また、外装パネルに形成した突起をレンズユニットに挿入孔に挿入する場合に、その挿入孔の内部に複数のリブを設けることで、外装カバーに厚みにばらつきがあっても、それを吸収することができるので、調整等の肯定が不要となりコスト面で有利となる。
【発明を実施するための最良の形態】
【００１１】
図１に本発明におけるカメラ１１の簡略化した分解図を示す。カメラ１１は、平面リング状の化粧板１２と、カメラ本体の前面側外装カバーとなる金属薄板製のフロントパネル１３と、撮影レンズ２５が組み込まれたレンズユニット１５と、電気部品等を実装した基板１６と、カメラ本体の背面側外装カバーとなる金属薄板製のリアパネル１７から構成される。
【００１２】
レンズユニット１５には、撮影レンズ２５と、この撮影レンズ２５を保持するレンズ保持枠２６とを有しており、さらに内部にレンズ鏡筒が格納されている。撮影レンズ２５とレンズ保持枠２６は、フロントパネル１３に形成された円状の開口部２３より外部へ露呈し、撮影時にレンズユニット１５の内部に格納されていたレンズ鏡筒が、この開口部２３よりカメラ前方へ自動的に張り出すようになっている。
【００１３】
レンズユニット１５の前面には、フロントパネル１３との位置決め用の挿入孔１９が、挿入口をフロントパネル１３の背面に向けて２箇所設けられており、円状のレンズ保持枠２６の円周上で互いに直角となるように配置されている。
【００１４】
この挿入孔１９の形状に合致する位置決め用の突起として、フロントパネル１３の開口部２３に２箇所の爪１８が設けられている。爪１８は、円状の開口部２３の円周上で互いに直角となる位置において縁を切り出し、切り出した部分をカメラ１１の背面側へ突出するように折り曲げることで舌片状に形成される。ここで、開口部２３を切り出した跡にできた折り曲げ部が４箇所あるのは加工の都合による。ただし、対応する挿入孔１９のない爪は削除する。
【００１５】
この爪１８を対応する各々の挿入孔１９にカメラ前面から挿入することによりフロントパネル１３に対するレンズユニット１５の位置が一定となる。なお、挿入孔１９と爪１８の位置や形状については、カメラ１１の組立て時にフロントパネル１３とレンズユニット１５の位置が一定なるのであれば、上述した内容に制限されるものではない。
【００１６】
図２はレンズユニット１５を表しており、ここでさらにＡ部を拡大して図３に示す。図３に示すように、挿入孔１９の内部には挿入された爪１８を、その厚み方向で挟圧する潰しリブ２１を孔の上下面に設ける。ここで、上面の潰しリブは図示していない。これにより、フロントパネル１３の厚みのばらつきが吸収できる。
【００１７】
次に、フロントパネル１３にレンズユニット１５を装着した場合の正面図を図４に、図４に示す断面Ｘにおける側面図を図５に示す。対応する位置にあるレンズユニット１５の挿入孔１９に、フロントパネル１３の爪１８をそれぞれ挿入することでレンズユニット１５の位置がカメラ本体のフロントパネル１３に対して一定となるため、レンズユニット１５の位置精度が向上する。
【００１８】
また、図４において爪を切り出した痕が、開口部２３の折り曲げ部２４として残ってしまい、カメラ１１の外観に悪影響を及ぼし美観を損なっている。そこで、図６に示すように、折り曲げ部２４を覆うように開口部２３の外環に化粧板１２を装着すれば美観を損なわない。
【００１９】
ところで、図７に示すようにカメラ本体のフロントパネル自体に位置決めピンを設ける方法もある。ここで、カメラ３１は、前述した図１の実施形態と同様に、化粧板３２と、フロントパネル３３と、レンズユニット１５と、基板３６と、リアパネル３７とから構成される。
【００２０】
この実施形態では、前述の爪１８に代わって、フロントパネル３３に固定した２本の位置決めピン３８を用いる。位置決めピン３８は、図８のようにピン先４１をカメラ背面側に向けて、予めフロントパネル３３に開けられた挿通孔４４にピンヘッド４３を挿入し、その後、図９のようにピンヘッド４３をプレス等の方法で押し潰し、フロントパネル３３をストッパ４２との間で挟むことで、フロントパネル３３に固定される。ここで、押し潰したピンヘッド４３が固定痕４０となる。
【００２１】
一方、レンズユニット３５には、フロントパネル３３の背面に挿入口を向け、ピン３８と形状の一致する挿入孔３９が２つ設けてある。カメラ３１の組立工程において、この挿入孔３９に対応する位置にあるピン３８を前面側から挿入することで、前述した爪１８を用いた場合と同様に、フロントパネル３３に対するレンズユニット３５の位置精度が向上する。なお、ピン３８の個数と位置は本実施形態に制限されるものではない。
【００２２】
また、図１０に示すように、フロントパネル３３には前述した固定痕４０が残ってしまい、カメラ３１の外観に悪影響を及ぼし美観を損なっている。そこで、図６と同様にして、固定痕４０を覆うように化粧板３２をフロントパネル３３に装着すれば美観を損なわない。
【図面の簡単な説明】
【００２３】
【図１】本発明のカメラの分解図である。
【図２】レンズユニットの拡大図である。
【図３】レンズユニットの挿入孔の拡大図である。
【図４】フロントパネルとレンズユニットの組立て時の正面図である。
【図５】フロントパネルとレンズユニットの組立て時の断面図である。
【図６】フロントパネルとレンズユニットと化粧板の組み立て時の正面図である。
【図７】本発明のカメラの分解図である。（ピン使用時）
【図８】フロントパネルのピンを固定する部位の断面図である。（ピン固定前）
【図９】フロントパネルのピンを固定する部位の断面図である。（ピン固定後）
【図１０】フロントパネルとレンズユニットと化粧板の組立て時の正面図である。（ピン使用時）
【図１１】従来のカメラの分解図である。
【符号の説明】
【００２４】
１，１１，３１  カメラ
１２，３２  化粧板
３，１３，３３  フロントパネル
４  金属フレーム
５，１５，３５  レンズユニット
６，１６，３６  基板
７，１７，３７  リアパネル
８，３８  位置決めピン
９，１９，３９  挿入孔
１８  爪
２１  潰しリブ
２３  開口部
２４  折り曲げ部
２５  撮影レンズ
２６  レンズ保持枠
４０  固定痕
４１  ピン先
４２  ストッパ
４３  ピンヘッド
【図１】
2007256515.tif 000003
【図２】
2007256515.tif 000004
【図３】
2007256515.tif 000005
【図４】
2007256515.tif 000006
【図５】
2007256515.tif 000007
【図６】
2007256515.tif 000008
【図７】
2007256515.tif 000009
【図８】
2007256515.tif 000010
【図９】
2007256515.tif 000011
【図１０】
2007256515.tif 000012
【図１１】
2007256515.tif 000013